(57)【要約】【課題】  ＩＣカードをパソコン等にＵＳＢ接続する際に使用するカードホルダにおいて、不使用時における携帯性が良く、また、ＩＣカードを容易に設置することができるカードホルダを提供する。【解決手段】  ＵＳＢ端子３を具備した本体部５と、ＩＣカードの幅方向の一端部側の部位をガイドする第１のガイド部９を備えていると共に、前記本体部５に出入り自在に設けられた第１のガイド部材７と、前記ＩＣカードの幅方向の他端部側の部位をガイドする第２のガイド部１３を備えていると共に、前記本体部５に出入り自在に設けられた第２のガイド部材１１と、前記本体部５に設けられ、前記ＩＣカードの長手方向の一端部を突き当てるための突き当て部１５と、前記本体部５に設けられ、前記ＩＣカードの端子部と接合する第１の接合部１７とを有する。【選択図】図１
2006324191.tif 000002
【特許請求の範囲】
【請求項１】
ＵＳＢ端子を具備した本体部と；
ＩＣカードの幅方向の一端部側の部位をガイドする第１のガイド部を備えていると共に、前記本体部に出入り自在に設けられた第１のガイド部材と；
前記ＩＣカードの幅方向の他端部側の部位をガイドする第２のガイド部を備えていると共に、前記本体部に出入り自在に設けられた第２のガイド部材と；
前記本体部に設けられ、前記ＩＣカードの長手方向の一端部を突き当てるための突き当て部と；
前記本体部に設けられ、前記ＩＣカードの端子部と接合する第１の接合部と；
を有することを特徴とするカードホルダ。
【請求項２】
請求項１に記載のカードホルダにおいて、
前記本体部に設けられたＳＩＭカード保持部と；
前記本体部に設けられ、前記ＳＩＭカード保持部に保持されたＳＩＭカードの端子部と接合する第２の接合部と；
を有することを特徴とするカードホルダ。
【請求項３】
請求項１または請求項２に記載のカードホルダにおいて、
前記本体部は、細長く形成されており、前記ＵＳＢ端子は、前記本体部の長手方向の一端部に設けられており、
前記第１のガイド部材は、この第１のガイド部材の基端部で、前記本体部に揺動自在に支持されており、
前記第２のガイド部材は、この第２のガイド部材の基端部で、前記本体部に揺動自在に支持されており、
前記各ガイド部材が引っ込んだ状態では、前記カードホルダの概観は直方体形状であり、
前記各ガイド部材が開いた状態では、前記本体部の長手方向の中心軸を含み前記本体部の厚さ方向に伸展している平面に対して、前記各ガイド部材が対称な位置に存在し、前記各ガイド部材が「ハ」字状になることを特徴とするカードホルダ。
【発明の詳細な説明】
【技術分野】
【０００１】
本発明は、カードホルダに係り、特に、ＩＣカードをパソコン等にＵＳＢ接続する際に使用するものに関する。
【背景技術】
【０００２】
従来、図６（従来のカードホルダ１００の概観を示す斜視図）に示すように、ＩＣカードＣＤを収納可能な収納孔１０２を具備した本体部１０４と、前記本体部１０４から延出していると共に先端部にＵＳＢ端子１０６を具備したケーブル１０８とを備えたカードホルダ１００が知られている。
【０００３】
前記カードホルダ１００の収納孔１０２にＩＣカードＣＤを挿入し、前記ＵＳＢ端子１０６をパソコン等のＵＳＢコネクタの差し込めば、前記ＩＣカードＣＤのデータの書き換え等を行なうことができるようになっている。
【０００４】
一方、図７（従来のカードホルダ１１０の概略構成を示す図）や図８に示すような構成のカードホルダ１１０が知られている（たとえば、非特許文献１参照）。
【０００５】
前記カードホルダ１１０は、一端部側にＵＳＢ端子１１２を具備した本体部１１４と、基端部が前記本体部１１４に揺動自在に支持されていると共にＩＣカードＣＤの突き当て部材１１６を先端部に具備した連結部材１１８と備えており、前記本体部１１４には、前記ＩＣカードＣＤのガイド部１２０（スリットで形成されたガイド部）と突き当て部１２２（スリットの奥に設けられた突き当て部）とが設けられている。
【０００６】
そして、前記連結部材１１８を揺動させて前記本体部１１４から前記突き当て部材１１６を突出させ、前記ガイド部１２０、突き当て部１２２、突き当て部材１１６を用いてＩＣカードＣＤを前記カードホルダ１１０に設置し、この設置後、前記ＵＳＢ端子１１２をパソコン等のＵＳＢコネクタに接続すれば、前記カードホルダ１００と同様に、前記ＩＣカードＣＤのデータの書き換え等を行なうことができるようになっている。
【０００７】
一方、使用しない状態では、前記連結部材１１８を揺動させて、前記連結部材１１８や前記突き当て部材１１６を本体部１１４に引っ込めておけば、カードホルダ１１０の概観が棒状になり、携帯性がよい。
【非特許文献１】［平成１７年２月１日検索］、インターネット＜ＵＲＬ：ｈｔｔｐ：／／ｗｗｗ．ｅｕｔｒｏｎ．ｃｏｍ／ｐｏｃｋｅｔ．ａｓｐ＞
【発明の開示】
【発明が解決しようとする課題】
【０００８】
ところで、前記従来のカードホルダ１００では、ＳＩＭカード等に比べて大きなＩＣカードを挿入するために本体部１０４が大きく形成されており、また、前記本体部１０４からケーブル１０８が延出しているので、装置自体の携帯性が悪いという問題がある。
【０００９】
一方、前記従来のカードホルダ１１０では、不使用時に連結部材１１８等を引っ込めることができるので、装置の大きさが小さくなり携帯性は良いが、ＩＣカードを前記カードホルダ１１０に設置する作業が煩雑であるという問題がある。
【００１０】
すなわち、前記カードホルダ１１０では、前記突き当て部材１１６が前記本体部１１４の一方の側にしか突出しないので、ＩＣカードＣＤを設置する際、図８に示すように、ガイド部１２０に沿って矢印ＡＲ２１の方向に前記ＩＣカードＣＤを移動し前記突き当て部１２２に突き当てた後、前記ＩＣカードＣＤを前記矢印ＡＲ２１で示す方向に対して直角な方向である矢印ＡＲ２３の方向に移動し、前記ＩＣカードＣＤの側面を前記突き当て部１２２に突き当てるという、２段階の操作を行なう必要がある。
【００１１】
本発明は、前記問題点に鑑みてなされたものであり、ＩＣカードをパソコン等にＵＳＢ接続する際に使用するカードホルダにおいて、不使用時における携帯性が良く、また、ＩＣカードを容易に設置することができるカードホルダを提供することを目的とする。
【課題を解決するための手段】
【００１２】
請求項１に記載の発明は、ＵＳＢ端子を具備した本体部と、ＩＣカードの幅方向の一端部側の部位をガイドする第１のガイド部を備えていると共に、前記本体部に出入り自在に設けられた第１のガイド部材と、前記ＩＣカードの幅方向の他端部側の部位をガイドする第２のガイド部を備えていると共に、前記本体部に出入り自在に設けられた第２のガイド部材と、前記本体部に設けられ、前記ＩＣカードの長手方向の一端部を突き当てるための突き当て部と、前記本体部に設けられ、前記ＩＣカードの端子部と接合する第１の接合部とを有するカードホルダである。
【００１３】
請求項２に記載の発明は、請求項１に記載のカードホルダにおいて、前記本体部に設けられたＳＩＭカード保持部と、前記本体部に設けられ、前記ＳＩＭカード保持部に保持されたＳＩＭカードの端子部と接合する第２の接合部とを有するカードホルダである。
【００１４】
請求項３に記載の発明は、請求項１または請求項２に記載のカードホルダにおいて、前記本体部は、細長く形成されており、前記ＵＳＢ端子は、前記本体部の長手方向の一端部に設けられており、前記第１のガイド部材は、この第１のガイド部材の基端部で、前記本体部に揺動自在に支持されており、前記第２のガイド部材は、この第２のガイド部材の基端部で、前記本体部に揺動自在に支持されており、前記各ガイド部材が引っ込んだ状態では、前記カードホルダの概観は直方体形状であり、前記各ガイド部材が開いた状態では、前記本体部の長手方向の中心軸を含み前記本体部の厚さ方向に伸展している平面に対して、前記各ガイド部材が対称な位置に存在し、前記各ガイド部材が「ハ」字状になることを特徴とするカードホルダである。
【発明の効果】
【００１５】
本発明によれば、ＩＣカードをパソコン等にＵＳＢ接続する際に使用するカードホルダにおいて、不使用時における携帯性が良く、また、ＩＣカードを容易に設置することができるという効果を奏する。
【発明を実施するための最良の形態】
【００１６】
図１は、本発明の実施形態に係るカードホルダ１の概略構成を示す斜視図である。
【００１７】
図２は、カードホルダ１にＩＣカードＣＤを設置した状態を示す斜視図であり、図３は、カードホルダ１にＳＩＭカードＳＤを設置した状態を示す斜視図である。
【００１８】
図４は、図１におけるＩＶＡ―ＩＶＢ断面を示す図であり、図５は、図１におけるＶ矢視を示す図である。
【００１９】
カードホルダ１は、このカードホルダ１に設置されたＩＣカードＣＤ等をパソコン等にＵＳＢ接続する際に使用するものであり、長手方向の一端部側にＵＳＢ端子３を具備した本体部５を備えている。
【００２０】
前記本体部５には、第１のガイド部材７と第２のガイド部材１１とが出入り自在に設けられている。前記第１のガイド部材７は、ＩＣカードＣＤを設置する際に、前記ＩＣカードＣＤの幅方向の一端部側の部位（縁部とこの縁部の近傍）をガイドする第１のガイド部９を備え、前記第２のガイド部材１１は、前記ＩＣカードＣＤを設置する際に、前記ＩＣカードＣＤの幅方向の他端部側の部位（縁部とこの縁部の近傍）をガイドする第２のガイド部１３を備えている。
【００２１】
また、前記本体部５には、前記ＩＣカードＣＤを設置する際に、前記ＩＣカードＣＤの長手方向の一端部を突き当てるための突き当て部１５と、カードホルダ１に設置された前記ＩＣカードＣＤの端子部ＣＤ１と接合する第１の接合部１７とが設けられている。
【００２２】
さらに、前記本体部５には、設置された前記ＩＣカードＣＤの端子部ＣＤ１が前記第１の接合部１７に押圧されるように前記ＩＣカードＣＤを付勢する付勢手段１９が設けられている。
【００２３】
そして、前記各ガイド部材７、１１を突出させた状態（開いた状態）で、前記各ガイド部９、１３でガイドしつつ、前記ＩＣカードＣＤの長手方向の一端部が前記突き当て部１５に当接するまで前記ＩＣカードＣＤを前記カードホルダ１に差し込むと、前記ＩＣカードＣＤが前記カードホルダ１に設置され、前記ＩＣカードＣＤの端子部ＣＤ１が前記第１の接合部１７に接触し、前記端子部ＣＤ１と前記接合部１７とが互いに電気的に接続されるようになっている（図２参照）。
【００２４】
このように、前記端子部ＣＤ１と前記第１の接合部１７とが互いに電気的に接続された状態で、前記ＵＳＢ端子３を、パソコン等のＵＳＢコネクタに差し込むことにより、前記パソコン等で前記ＩＣカードＣＤに記憶されているデータを読み取り、ＩＣカードＣＤのデータの書き換え、消去し、また、前記ＩＣカードＣＤへ新たなデータの書き込みをすることができるようになっている。
【００２５】
前記ＩＣカードＣＤを前記パソコン等に接続する場合、前記カードホルダ１のＵＳＢ端子３をパソコン等のＵＳＢコネクタに差し込んでおいてから前記カードホルダ１の各ガイド部材７、１１を突出させて前記ＩＣカードＣＤを設置してもよく。または、前記カードホルダ１の各ガイド部材７、１１を突出させて前記カードホルダ１に前記ＩＣカードＣＤを設置してから、前記ＵＳＢ端子３をパソコン等のＵＳＢコネクタに差し込むようにしてもよい。
【００２６】
また、前記本体部５には、ＳＩＭカード保持部２１と、前記ＳＩＭカード保持部２１に保持されたＳＩＭカードＳＤの端子部ＳＤ１と接合する第２の接合部２３とが設けられている。
【００２７】
そして、ＩＣカードＣＤの代わりにＳＩＭカードＳＤを設置することにより、この設置されたＳＩＭカードＳＤのデータをＩＣカードＣＤの場合と同様に書き換え等することができるようになっている。
【００２８】
より詳しく説明すると、前記本体部５は、細長く形成されており、前記ＵＳＢ端子３は、前記本体部５の長手方向（図１に矢印ＡＲ１で示す方向）の一端部に設けられている。前記第１のガイド部材７は、この第１のガイド部材７の基端部で、前記本体部５に揺動（回動）自在に支持されており、前記第２のガイド部材１１も前記第１のガイドと同様に、この第２のガイド部材１１の基端部で、前記本体部５に揺動（回動）自在に支持されている。
【００２９】
前記各ガイド部材７、１１が引っ込んだ状態（図１に示す矢印ＡＲ３の方向に回動し前記各ガイド部材７、１１が前記本体部５から突出していない状態）では、前記カードホルダ１の概観は直方体形状になる（図５参照）。
【００３０】
前記各ガイド部材７、１１が開いた状態（図１に示すように前記各ガイド部材７、１１が前記本体部５から突出している状態）では、前記本体部５の長手方向の中心軸ＣＬ１を含み前記本体部５の厚さ方向（図１に示す矢印ＡＲ５の方向）に伸展している平面に対して、前記各ガイド部材７、１１が対称な位置に存在し、前記各ガイド部材７、１１が「ハ」字状になる。
【００３１】
さらに詳しく説明すると、前記本体部５の長手方向の一端部には前述したようにＵＳＢ端子３が設けられており、この一端部側に隣接した部位２５において、前記本体部５は、前記一端部側（前記ＵＳＢ端子３が設けられている側）が塞がれた四角い筒状に形成されている。
【００３２】
前記本体部５の長手方向の他端部側の部位２７は、厚さ方向の片側が開口した枡状に形成されている。この枡状に形成されている部位２７の内部であって前記四角い筒状に形成されている部位２５の近傍には、前記第１の接合部１７が設けられている。この接合部１７は四角形状に形成された台座２９の上面（前記本体部５の厚さ方向に直交する方向に展伸している上面）に形成されている。
【００３３】
前記第１の接合部１７には、前記上面とほぼ平行に延伸している複数の棒状の金属部材３１が設けられており、この複数の棒状の金属部材３１は、弾性変形し前記上面に対して出没するようになっている。
【００３４】
前記本体部５の四角い筒状部位２５の幅方向（図１に示す矢印ＡＲ７の方向；前記本体部５の幅方向と同じ方向）の両端部には、前記枡状部位２７から前記本体部５の長手方向の一端部に向かうスリット３３が形成されており、これらのスリット３３の端部が、前記突き当て部（ＩＣカードＣＤの突き当て部）１５を構成している。
【００３５】
前記台座２９の上面から僅かに離れたところには、図４に示すように、前記台座２９の上面と対向（ほぼ平行）して、板状のＩＣカード押さえ部３５が形成されている。このＩＣカード押さえ部３５は、前記部位２５から突出して設けられている。
【００３６】
また、前記ＩＣカード押さえ部３５は、前記本体部５の長手方向の他端部側の部位では、前記本体部５の長手方向の他端部側に近づくほど、前記台座２９の上面との距離が大きくなるように形成されている（図４に示す部位３７参照）。このように形成されていることにより、前記ＩＣカードＣＤを設置する際、前記台座２９と前記ＩＣカード押さえ部３５との間に前記ＩＣカードＣＤが容易に入り込むことができるようになっている。
【００３７】
前記四角い筒状の部位２５には、突起３８が設けられており、前記各ガイド部材７、１１の基端部側に設けられている貫通孔が前記各突起３８に係合することにより、前記各ガイド部材７、１１が前記本体部５に対し前記本体部５の厚さ方向に延伸している軸を中心にして揺動するようになっている。
【００３８】
なお、前記各ガイド部材７、１１には、前記各ガイド部材７、１１が閉じた状態を維持するための係合部３９が設けられており、前記各ガイド部材７、１１が閉じた状態では、前記本体部５の四角い筒状部が前記本体部５の他端部側に延長された形状になる。すなわち、前記各ガイド部材７、１１が閉じた状態では、前記各ガイド部材７、１１が四角柱形状の前記カードホルダ１の一部を構成するようになっている。
【００３９】
前記各ガイド部材７、１１の内側には、断面が「コ」字状の前記各ガイド部９、１３が設けられている。前記各ガイド部材７、１１を開いた状態では、前述したように前記各ガイド部材７、１１は「ハ」字状になると共に、前記各ガイド部９、１３が平行になる。
【００４０】
そして、前記各ガイド部材７、１１が開いている状態で、前記各ガイド部材７、１１の各ガイド部９、１３に沿って前記本体部５の他端部側からＩＣカードＣＤを挿入すると（ＩＣカードＣＤに長手方向の一端部側を先頭にして長手方向に移動しつつ挿入すると）前記ＩＣカードＣＤは、前記台座２９と前記ＩＣカード押さえ部３５との間に入り込んで、前記ＩＣカードＣＤの先端部が前記突き当て部１５に突き当たるまで挿入され、図２に示すように、前記ＩＣカードＣＤが前記カードホルダ１に設置されるようになっている。
【００４１】
このようにして、前記ＩＣカードＣＤが前記カードホルダ１に設置された状態では、前記ＩＣカードＣＤの端子部ＣＤ１が前記第１の接合部１７に電気的に接続されるようになっている。
【００４２】
なお、前記各ガイド部材７、１１の各ガイド部９、１３には、図５に示すように、切り欠き４１が設けられている。この切り欠き４１は、前記各ガイド部材７、１１を閉じたときに、前記台座２９と前記各ガイド部材７、１１とが互いに干渉することを防止するために設けたものである。
【００４３】
前記台座２９の上面と前記ＩＣカード押さえ部３５との間の距離Ｌ１は、図４に示すように、前記ＩＣカードＣＤの厚さとほぼ等しくなっており、前記台座２９の上面の金属部材３１と前記ＩＣカード押さえ部３５とによって付勢されて前記ＩＣカードＣＤがはさみ込まれることによって、前記ＩＣカードＣＤの端子部ＣＤ１と前記第１の接合部１７とを互いに確実に接続することができるようになっている。
【００４４】
また、前記本体部５の枡状の部位２７の内部であって前記四角い筒状に形成されている部位２５から離れたところには、前記第２の接合部２３が設けられている。この接合部２３は、前記第１の接合部１７と同様に、四角形状に形成された台座４３の上面に形成されており、複数の棒状の金属部材が出入りするようになっている。
【００４５】
前記台座４３の上面の幅は、前記ＳＩＭカードＳＤの幅とほぼ同じ幅に形成されており、前記台座４３の上面の幅方向の両端部には、前記ＳＩＭカードＳＤを前記第２の接合部２３に設置する際に使用される逆「Ｌ」字状のガイド部４５が形成されていると共に、前記台座４３の上面の長手方向の一端部には、前記ＳＩＭカードＳＤの突き当て部４７が形成されている。
【００４６】
そして、前記ＳＩＭカードＳＤを、前記ガイド部１３に沿ってガイドしつつＳＩＭカードＳＤの先端部が前記突き当て部４７に当接するまで前記台座４３の上面で移動することにより、前記ＳＩＭカードＳＤが、図３に示すように、前記第２の接合部２３に設置され、この設置されたＳＩＭカードＳＤのデータをＩＣカードＣＤの場合と同様に書き換え等することができるようになっている。なお、図３では、前記各ガイド部材７、１１が開いているが、前記ＳＩＭカードＳＤを、前記カードホルダ１に設置する際、前記各ガイド部材７、１１を閉じておいてもよい。
【００４７】
前記第１の接合部１７の台座２９の上面と、前記第２の接合部２３の台座４３の上面とは、前記本体部５の厚さ方向において異なった位置に存在している。したがって、機械的には、前記カードホルダ１に、ＩＣカードＣＤとＳＩＭカードＳＤとを同時に設置できるようになっている。
【００４８】
また、前記本体部５の他端部側には、枡状のカバー４９が着脱自在になっている。そして、前記各ガイド部材７、１１が閉じられており、前記枡状のカバー４９が取り付けられている状態では、前記カードホルダ１の概観は、一端部にＵＳＢ端子３が露出している四角柱形状になる。
【００４９】
さらに、前記ＵＳＢ端子３側にも、一端が閉じている四角い筒状のカバー５１が着脱自在になっており、前記各ガイド部材７、１１が閉じられており、前記枡状のカバー４９が取り付けられており、前記四角い筒状のカバー５１が取り付けられている状態においても、前記カードホルダ１の概観は、ＵＳＢ端子３が隠れた四角柱形状になる。
【００５０】
ここで、前記ＳＩＭカードＳＤや前記ＩＣカードＣＤを前記カードホルダ１に設置するときの手順について説明する。
【００５１】
前記ＩＣカードＣＤや前記ＳＩＭカードＳＤが設置されていない状態では、前記各ガイド部材７、１１が閉じられており、前記枡状のカバー４９と筒状のカバー５１とが取り付けられているものとする。
【００５２】
前記ＳＩＭカードＳＤを設置する場合には、前記各ガイド部材７、１１が閉じられている等の状態において、前記枡状のカバー４９と筒状のカバー５１とを取り外し、前記ＳＩＭカードＳＤを前記カードホルダ１に設置する。
【００５３】
一方、前記ＩＣカードＣＤを設置する場合には、前記枡状のカバー４９と筒状のカバー５１とを取り外し、前記各ガイド部材７、１１を開いて、前記ＩＣカードＣＤを前記カードホルダ１に設置する。
【００５４】
続いて、前記ＵＳＢ端子３をパソコン等のＵＳＢコネクタに差し込んで、前記ＩＣカードＣＤまたは前記ＳＩＭカードＳＤのデータの書き換え等を行なう。
【００５５】
カードホルダ１によれば、不使用時に前記各ガイド部材７、１１を閉じることにより、カードホルダ１の大きさを小さくすることができ、不使用時にかさばることがなく携帯性が良くなっている。また、ＩＣカードＣＤを設置する際、２つのガイド部９、１３でＩＣカードＣＤをガイドしつつＩＣカードＣＤを一方向に移動すればよいので、ＩＣカードＣＤの設置が容易になっていると共に、設置後においても、前記ＩＣカードＣＤの幅方向の両側から前記各ガイド部材７、１１で前記ＩＣカードＣＤを支持しているので、前記ＩＣカードＣＤを確実に保持することができる。
【００５６】
また、カードホルダ１によれば、ＩＣカードＣＤの他にＳＩＭカードＳＤの設置ができるようになっているのでカードホルダ１の汎用性が高くなっている。また、ＳＩＭカードＳＤの設置時には、前記各ガイド部材７、１１を閉じて（引っ込めて）おくことができるので、カードホルダ１の外形を小さくしたまま前記カードホルダ１を使用することができる。
【００５７】
また、前記ＳＩＭカード押さえ部３５や前記第２の接合部２３を、前記本体部５の他端部側に設ける等、前記カードホルダ１のデッドスペースに設けてあるので、前記ＳＩＭカード押さえ部３５や前記第２の接合部２３を設けても、カードホルダ１の外形が大きくなることを回避できる。
【００５８】
さらに、カードホルダ１によれば、前記各ガイド部材７、１１を揺動させて出入り自在に構成しているので、簡素な構成で前記各ガイド部材７、１１を出入り自在に設けることができる。また、対称な形態で各ガイド部材７、１１が開くので、見た目もすっきりし、機能美を生じている。
【図面の簡単な説明】
【００５９】
【図１】本発明の実施形態に係るカードホルダの概略構成を示す斜視図である。
【図２】カードホルダにＩＣカードを設置した状態を示す斜視図である。
【図３】カードホルダＳＩＭカードを設置した状態を示す斜視図である。
【図４】図１におけるＩＶＡ―ＩＶＢ断面を示す図である。
【図５】図１におけるＶ矢視を示す図である。
【図６】従来のカードホルダの概観を示す斜視図である。
【図７】従来のカードホルダの概略構成を示す図である。
【図８】従来のカードホルダの概略構成を示す図である。
【符号の説明】
【００６０】
１  カードホルダ
３  ＵＳＢ端子
５  本体部
７  第１のガイド部材
９  第１のガイド部
１１  第２のガイド部材
１３  第２のガイド部材
１５  突き当て部
１７  第１の接合部
１９  付勢手段
２１  ＳＩＭカード保持部
２３  第２の接合部
【図１】
2006324191.tif 000003
【図２】
2006324191.tif 000004
【図３】
2006324191.tif 000005
【図４】
2006324191.tif 000006
【図５】
2006324191.tif 000007
【図６】
2006324191.tif 000008
【図７】
2006324191.tif 000009
【図８】
2006324191.tif 000010